(57)【要約】【課題】  本発明は、ハンガーを衣服に通す時に、衣服の首穴を伸ばさず衣服の痛みを防止できる衣服用ハンガーを提供することを課題とする。【解決手段】  ハンガー本体２２を衣服の袖口から通して肩部に掛けることができる形状とするとともに、吊下げ用フック部２３をハンガー本体２２と分離して着脱自在な構造とするか、または、吊下げ用フック部をハンガー本体と連結して衣服の袖口から通すことができる構造とすることで、ハンガー本体２２を衣服の袖口から通して肩部に掛けた後に、吊下げ用フック部２３を衣服の首穴から吊下げることができることを特徴とする衣服用ハンガーを提供することで、課題を解決した。【選択図】図１
2009297479.tif 000002
【特許請求の範囲】
【請求項１】
衣服用ハンガーにおいて、ハンガー本体を衣服の袖口から通して肩部に掛けることができる形状とするとともに、吊下げ用フック部をハンガー本体と分離して着脱自在な構造とすることで、吊下げ用フック部を外したハンガー本体を衣服の袖口から通して肩部に掛けた後に、吊下げ用フック部を衣服の首穴からハンガー本体に連結して、吊下げることができることを特徴とする衣服用ハンガー。
【請求項２】
衣服用ハンガーにおいて、ハンガー本体を衣服の袖口から通して肩部に掛けることができる形状とするとともに、吊下げ用フック部をハンガー本体と連結して衣服の袖口から通すことができる構造とすることで、ハンガー本体と吊下げ用フック部を衣服の袖口から通して、ハンガー本体を肩部に掛けた後に、吊下げ用フック部を衣服の首穴から吊下げることができることを特徴とする衣服用ハンガー。
【発明の詳細な説明】
【技術分野】
【０００１】  本発明は、ハンガー本体を衣服の袖口から通して肩部に掛けることができるようにすることで、衣服の首穴を伸ばさず衣服の傷みを防止できる衣服用ハンガーに関する。
【背景技術】
【０００２】  従来の衣服用ハンガーには、ハンガー本体に吊下げ用フック部が連結固定されたＴ字型の形状で、ハンガー本体を衣服の首穴から通して肩部に掛ける形状となっているものがある。
【発明の開示】
【発明が解決しようとする課題】
【０００３】  以上に述べた、従来の衣服用ハンガーでは、ハンガー本体を衣服の首穴から通して肩部に掛けることから、衣服の首穴が伸ばされ衣服が傷む場合があるという問題があった。【０００４】  本発明は、このような従来の構成が有していた問題を解決しようとするものであり、ハンガー本体を衣服に通すときに、衣服の首穴が伸ばされ衣服が傷むことのない、衣服用ハンガーを実現することを目的とするものである。
【課題を解決するための手段】
【０００５】  そして、本発明は上記目的を達成するために、ハンガー本体を衣服の袖口から通して肩部に掛けることができる形状とするとともに、吊下げ用フック部をハンガー本体と分離して着脱自在な構造とするか、または、吊下げ用フック部をハンガー本体と連結して衣服の袖口から通すことができる構造とすることで、ハンガー本体を衣服の袖口から通して肩部に掛けた後に、吊下げ用フック部を衣服の首穴から吊下げることができることを特徴とする衣服用ハンガーである。【０００６】  上記の課題解決手段による作用は次の通りである。すなわち、吊下げ用フック部を外したハンガー本体を衣服の袖口から通して肩部に掛けるか、または、吊下げ用フック部とともにハンガー本体を衣服の袖口から通して肩部に掛けることで、ハンガー本体を衣服の首穴から通さないので、衣服の首穴を伸ばさず衣服の痛みを防止することができる。
【発明の効果】
【０００７】  上述したように本発明の構成による衣服用ハンガーでは、ハンガー本体を衣服の袖口から通して肩部に掛けることで、衣服の首穴を伸ばさず衣服の傷みを防止できる衣服用ハンガーを提供できる。
【発明を実施するための最良の形態】
【０００８】  以下、本発明の実施の形態を図１〜図４に基づいて説明する。【０００９】  図１、図２は、本発明における実施例であって、ハンガー本体を衣服の袖口から通して肩部に掛けることができる形状とするとともに、吊下げ用フック部をハンガー本体と分離して着脱自在な構造とした、請求項１記載の衣服用ハンガーの一例を図示したものである。
図１は、吊下げ用フック部２３をハンガー本体２２から外した状態の斜視図である。
図２は、吊下げ用フック部２３をハンガー本体２２に連結した状態の斜視図である。【００１０】  図１、図２に示すように、ハンガー本体２２を衣服の袖口から通して肩部に掛けることができる形状とするとともに、吊下げ用フック部２３をハンガー本体２２と分離して着脱自在な構造としており、図１に示すように、吊下げ用フック部２３を外したハンガー本体２２を衣服の袖口から通して肩部に掛けた後に、図２に示すように、吊下げ用フック部２３を衣服の首穴からハンガー本体２２に連結して、吊下げることができる。【００１１】  図３、図４は、本発明における他の実施例であって、ハンガー本体を衣服の袖口から通して肩部に掛けることができる形状とするとともに、吊下げ用フック部をハンガー本体と連結して衣服の袖口から通すことができる構造とした、請求項２記載の衣服用ハンガーの一例を図示したものである。
図３は、吊下げ用フック部３３をハンガー本体３２に、伸縮自在、折り曲げ自在な部材で連結し、小さく折り畳んで、吊下げ用フック部３３も衣服の袖口から通すことができる状態の斜視図である。
図４は、吊下げ用フック部３３をハンガー本体３２に起立させて、吊下げることができる状態の斜視図である。【００１２】  図３、図４に示すように、ハンガー本体３２を衣服の袖口から通して肩部に掛けることができる形状とするとともに、吊下げ用フック部３３をハンガー本体３２と連結して衣服の袖口から通すことができる構造としており、図３に示すように、吊下げ用フック部３３を小さく折り畳んだハンガー本体３２を、衣服の袖口から通して肩部に掛けた後に、図４に示すように、吊下げ用フック部３３をハンガー本体３２に起立させて、衣服の首穴から吊下げることができる。【００１３】  請求項１、請求項２記載の衣服用ハンガーの形状については、本実施例の図１〜図４に示す衣服用ハンガーの形状は一例でありこれに限定されるものではなく、ハンガー本体を衣服の袖口から通して肩部に掛けることができる形状とするとともに、吊下げ用フック部をハンガー本体に着脱自在な構造とするか、または、吊下げ用フック部を衣服の袖口から通すことができる構造とすればよい。【００１４】  すなわち、吊下げ用フック部をハンガー本体に着脱自在な構造とする例として、図１、図２に示すようなクリップ構造の他にも、引っ掛け構造、ネジ通し構造等、紐状部材での結束構造、マジックテープ利用構造、吸着盤利用構造、マグネット利用構造等、種々の着脱自在な構造が適用できる。【００１５】  また、吊下げ用フック部を衣服の袖口から通すことができる構造の例として、図３、図４に示すような伸縮自在、折り曲げ自在な構造の他にも、紐状部材での連結構造等、種々の構造が適用できる。【００１６】  また、吊下げ用フック部の形状の例として、図１〜図４に示すような吊掛け構造の他にも、クリップ構造等、種々の構造が適用できる。【００１７】  また、ハンガー本体の形状の例として、衣服の袖口から通して肩部に掛けることができる形状であればよく、図１〜図４に示すような弓形の他、丸棒形等、種々の形状が適用できる。【００１８】  また、ハンガー本体の構造の例として、携帯に便利なように、ハンガー本体のアーム部を、伸縮自在な構造、折り曲げ自在な構造等、種々の構造が適用できる。
【図面の簡単な説明】
【００１９】
【図１】  本発明の実施形態を示すハンガーの例のフック部を外した斜視図
【図２】  図１に示されるハンガーのフック部を連結した斜視図
【図３】  本発明の実施形態を示すハンガーの例のフック部を折り畳んだ斜視図
【図４】  図３に示されるハンガーのフック部を吊下げる状態の斜視図
【符号の説明】
【００２０】２２  ハンガー本体
２３  吊下げ用フック部
３２  ハンガー本体
３３  吊下げ用フック部
【図１】
2009297479.tif 000003
【図２】
2009297479.tif 000004
【図３】
2009297479.tif 000005
【図４】
2009297479.tif 000006